(57)【要約】【課題】煩わしい作業を不要にし、被測定物の摂取量の管理を容易にする摂取量測定装置及びシステムを提供する。【解決手段】摂取量測定装置１は、被測定物が収容される容器２を取り外し可能に保持する保持部１２と、被測定物を含む容器２の重量又は被測定物の体積を検出する各種センサ１３、２５、２６と、各種センサにより検出された容器の重量又は被測定物の体積と前回の検出結果とに基づいて、被測定物の摂取量を算出するマイコン２１と、被測定物の摂取量を示すデータを外部端末に送信する通信部２７とを備える。【選択図】図３
2019080631.tif 000002
【特許請求の範囲】
【請求項１】
被測定物が収容される容器を取り外し可能に保持する保持手段と、
前記容器の重量又は前記被測定物の体積を測定する測定手段と、
前記測定手段により測定された前記重量又は前記体積と、前記測定手段による前回の測定結果とに基づいて、前記被測定物の摂取量を算出する算出手段と、
前記被測定物の摂取量を外部端末に送信する通信手段と
を備えることを特徴とする摂取量測定装置。
【請求項２】
前記保持手段は、前記容器を固定するための突起を有することを特徴とする請求項１に記載の摂取量測定装置。
【請求項３】
前記測定手段に測定開始信号を出力するスイッチと、
前記容器を前記保持手段に固定する第１部、及び前記容器の固定に応じて前記スイッチを操作して前記測定開始信号を出力させる第２部を有する保持部材と
を備えることを特徴とする請求項１又は２に記載の摂取量測定装置。
【請求項４】
操作者の解除操作によって前記第１部による前記容器の固定が解除され、前記容器の固定の解除に応じて前記第２部が前記スイッチを操作して前記スイッチから前記測定手段に測定終了信号を出力させることを特徴とする請求項３に記載の摂取量測定装置。
【請求項５】
前記測定手段は、前記容器の重量を測定する第１センサを備え、
前記摂取量測定装置は、さらに、筐体と、前記筐体の底面に設けられた支持脚と、前記第１センサに接触すると共に前記筐体の底面から突出し支持脚として機能する押し子とを備えることを特徴とする請求項１乃至４のいずれか１項に記載の摂取量測定装置。
【請求項６】
前記測定手段は、前記被測定物の体積を測定する第２センサを備えていることを特徴とする請求項１乃至５のいずれか１項に記載の摂取量測定装置。
【請求項７】
温度を測定する温度測定手段と、
前記温度測定手段により測定された温度に基づいて、前記測定手段により検出された前記容器の重量又は前記被測定物の体積を補正する第１補正手段と
を備えることを特徴とする請求項１乃至６のいずれか１項に記載の摂取量測定装置。
【請求項８】
前記摂取量測定装置の傾きを測定する傾き測定手段と、
前記傾き測定手段により測定された傾きに基づいて、前記測定手段により測定された前記容器の重量又は前記被測定物の体積を補正する第２補正手段と
を備えることを特徴とする請求項１乃至７のいずれか１項に記載の摂取量測定装置。
【請求項９】
被測定物が収容される容器を取り外し可能に保持する保持手段と、
前記容器の重量を測定する測定手段と、
前記測定手段により測定された重量と、前記容器の空の重量とに基づいて、前記被測定物の残量を算出する算出手段と、
前記被測定物の残量を外部端末に送信する通信手段と
を備えることを特徴とする摂取量測定装置。
【請求項１０】
摂取量測定装置と外部端末とを備える摂取量測定システムであって、
前記摂取量測定装置は、
被測定物を収容する容器を取り外し可能に保持する保持手段と、
前記容器の重量又は前記被測定物の体積を測定する測定手段と、
前記測定手段による前回の測定結果と、前記測定手段により測定された前記被測定物の重量又は前記被測定物の体積とに基づいて、前記被測定物の摂取量を算出する算出手段と、
前記被測定物の摂取量を示すデータを外部端末に送信する通信手段と、
前記通信手段が前記外部端末から警告通知を受信した場合に、警告を出力する警告手段とを備え、
前記外部端末は、
前記被測定物の摂取量を示すデータを登録するデータベースと、
前回のデータ登録時から所定時間内に前記被測定物の摂取量を示すデータが前記データベースに登録されていない場合に、前記摂取量測定装置に警告通知を送信する警告通知手段と
を備えていることを特徴とする摂取量測定システム。
【発明の詳細な説明】
【技術分野】
【０００１】
本発明は、容器に入った被測定物が飲まれた場合にその摂取量を測定する摂取量測定装置及び摂取量測定システムに関する。
【背景技術】
【０００２】
近年、錠剤を専用のケースに入れて、適切な時間に指定された量の薬を提供するシステムが知られている（例えば、特許文献１参照）。このシステムは、薬の飲み忘れや飲むべき薬の種類や量の間違いを防止でき、患者や医者によって服薬管理をすることができる。また、容器に入った液体が飲まれた場合にその摂取量を測定するカップが知られている。
【先行技術文献】
【特許文献】
【０００３】
【特許文献１】特開２０１３−２２０２４０号公報
【発明の概要】
【発明が解決しようとする課題】
【０００４】
液体の薬剤や栄養剤の場合、専用のケースがないために、錠剤よりも服薬や摂取の管理が難しい。例えば、液剤などの摂取量を計測するカップを使用する場合には、液剤をカップに移しかえ、飲み終わった後にカップを洗浄しなければならない。このため、摂取量を計測するカップを使用する場合、煩わしい作業が必要になる。
【０００５】
また、自宅で液剤を服用する場合、飲み忘れなどが発生し、服薬管理が適切に行われないおそれがある。
【０００６】
本発明の目的は、煩わしい作業を不要にし、被測定物の摂取量や服薬の管理を容易にする摂取量測定装置及びシステムを提供することにある。
【課題を解決するための手段】
【０００７】
上記目的を達成するため、明細書に開示された摂取量測定装置は、被測定物が収容される容器を取り外し可能に保持する保持手段と、前記容器の重量又は前記被測定物の体積を測定する測定手段と、前記測定手段により測定された前記重量又は前記体積と、前記測定手段による前回の測定結果とに基づいて、前記被測定物の摂取量を算出する算出手段と、前記被測定物の摂取量を外部端末に送信する通信手段とを備えることを特徴とする。
【発明の効果】
【０００８】
本発明によれば、煩わしい作業を不要にし、被測定物の摂取量や服薬の管理を容易にする。
【図面の簡単な説明】
【０００９】
【図１】本実施の形態に係る摂取量測定装置１を含む摂取量測定システム９の構成を示すブロック図である。
【図２】（Ａ）は、摂取量測定装置１の断面図であり、（Ｂ）は下方から見た摂取量測定装置１の底面図である。
【図３】（Ａ）は、制御基板１５の構成図であり、（Ｂ）は外部端末４の構成図である。
【図４】（Ａ）は、静電センサ２５を使用する場合の容器２の状態を示す図である。（Ｂ）は、光学センサ２６を使用する場合の容器２の状態を示す図である。
【図５】摂取量測定装置１の断面の模式図である。
【図６】（Ａ）は、摂取量測定装置１の第１変形例の断面模式図である。（Ｂ）〜（Ｄ）は、容器２の装着から取り外しまでの回転保持部材５５の状態を示す図である。
【図７】（Ａ）は、摂取量測定装置１の第２変形例の断面模式図である。（Ｂ）〜（Ｄ）は、容器２の装着から取り外しまでの摺動保持部材６０の状態を示す図である。
【図８】摂取量測定装置１及び外部端末４，５で実行される処理を示すフローチャートである。
【図９】摂取量測定装置１及び外部端末４，５で実行される処理を示すフローチャートである。
【図１０】（Ａ）は、感圧センサ１３の荷重−出力電圧の特性を示す図である。（Ｂ）は、出力電圧と温度と荷重との関係を規定したテーブルデータの一例を示す図である
【図１１】傾き補正用の係数データを示す図である。
【図１２】静電センサ２５又は光学センサ２６を使う摂取量測定装置１で実行される処理を示すフローチャートである。
【発明を実施するための形態】
【００１０】
以下、図面を参照しながら本発明の実施の形態を説明する。
【００１１】
図１は、本実施の形態に係る摂取量測定装置を含む摂取量測定システムの構成を示すブロック図である。本実施形態による摂取量測定システムは、容器内の液剤などの被測定物の摂取量を測定するとともに、測定された摂取量に基づいて被摂取物の摂取を管理するものである。被摂取物が薬剤である場合には、定められた量の薬剤を、定められた時刻あるいは時間間隔で服用する必要があるため、被測定物の摂取量管理、摂取の時刻あるいは摂取の時間間隔などの服用管理、被測定物の残量管理などが重要となる。また、下記では詳細説明を省略しているが、開栓後の経過時間などの時間を計測することによって、開栓後長期間を経た被摂取物を誤って摂取してしまうことを防止でき、また、いつ開栓したかがわらかなくなることによってまだ摂取できる被摂取物を捨ててしまうことも防止可能である。
【００１２】
図１の摂取量測定システム９は、摂取量測定装置１と、外部端末４，５とを備えている。摂取量測定装置１は、ネットワーク３を介して外部端末４，５に接続されている。摂取量測定装置１は、ペットボトルのような使い捨ての可能な容器２に着脱可能であり、容器２内に含まれる液剤などの液体状の被測定物の摂取量を測定し、測定結果を外部端末４に送信する。摂取量測定装置１は、容器２内の被測定物を飲み終わるまで容器２に装着したまま使用する。外部端末４は、例えば、摂取量の測定結果を登録するデータベースを備えるコンピュータである。外部端末５は、コンピュータ又はスマートホンのような情報処理装置である。
【００１３】
図２（Ａ）は、摂取量測定装置１の断面図であり、図２（Ｂ）は下方から見た摂取量測定装置１の底面図である。
【００１４】
図２（Ａ）に示すように、摂取量測定装置１は、筐体１１と、容器２を着脱可能に保持する保持手段としての保持部１２と、容器２の重量を測定する感圧センサ１３と、摂取量測定装置１がテーブルなどに置かれたときに感圧センサ１３に力を伝える押し子１４と、通信モジュールや各種のセンサを備える制御基板１５と、通信モジュールや各種のセンサに電力を供給するバッテリ１６と、バッテリ１６を覆うカバー１７とを備えている。感圧センサ１３は制御基板１５と電気的に接続されている。なお、「容器の重量」とは、容器自体の重量と容器内の被測定物の重量とを合わせた、風袋込みの重量を意味するものとするが、測定された重量から風袋を差し引いた正味の重量を求めることも可能である。便宜上、「容器の重量」とは、被測定物の正味の重量など、摂取量を求めるために用いることのできる各種重量を含むものとする。
【００１５】
押し子１４は、筐体１１の底面から突出している。また、図２（Ｂ）に示すように、筐体１１の底面には２つの支持脚１８が形成されており、２つの支持脚１８及び押し子１４により３点で摂取量測定装置１を支持する。そのため、押し子１４も支持脚として機能する。尚、図２（Ｂ）では、感圧センサ１３と押し子１４の位置関係を示すために感圧センサ１３を破線で示している。押し子１４及び感圧センサ１３が摂取量測定装置１の中心に配置されると、押し子１４がバッテリに接触したり、感圧センサ１３とバッテリとが干渉するなどの問題が生じるため、大容量のバッテリを採用できない。そこで、本実施の形態では、押し子１４が感圧センサ１３を押し込む位置は、摂取量測定装置１又は容器２の中心から外れている。これにより、摂取量測定装置１を小型化しつつ大容量のバッテリを採用することができる。
【００１６】
本実施形態では、容器の傾きを判別するために、３点支持としている。また、上記の例では押し子１４を一つ設けているが、押し子を３点に分散配置して、３点で圧力を計測する対応としてもよい。
【００１７】
制御基板１５及びバッテリ１６は上面視で摂取量測定装置１の中心に配置されるようにしてもよい。この場合、摂取量測定装置１が装着された容器２の重量バランスが偏らず、摂取量測定装置１が装着された容器２を安定して持ちやすくできる。
【００１８】
保持部１２は筒状に形成されており、上面視で円形であるが、容器２の収納に差支えがなければ矩形や多角形でもよい。保持部１２の上端には、容器２の凹部と係合する突起部１９が形成されている。突起部１９を凹部に係合することにより、容器２が保持部１２から簡単に抜け落ちることを防いでいる。また、保持部１２の高さは、容器にもよるが、例えば容器２の底面から１〜５センチ程度の高さが好ましい。保持部１２が容器２の側面全体を覆う高さだと、摂取量測定装置１の取り外しが容易でなく、保持部１２が容器２の下部だけを覆う高さだと、摂取量測定装置１を安定的に容器２に固定できないためである。
【００１９】
図３（Ａ）は、制御基板１５の構成図であり、図３（Ｂ）は外部端末４の構成図である。尚、外部端末５の構成は外部端末４の構成と同一もしくは同様であるため、その説明は省略する。図４（Ａ）は、静電センサ２５を使用する場合の容器２の状態を示す図である。図４（Ｂ）は、光学センサ２６を使用する場合の容器２の状態を示す図である。
【００２０】
図３（Ａ）に示すように、制御基板１５は、摂取量測定装置１の動作を制御したり、被測定物の摂取量を算出する算出手段としてのマイコン２１と、被測定物の摂取量を算出するプログラムや各種のデータを保存するメモリ２２と、摂取量測定装置１の傾きを測定する加速度センサ２３と、摂取量測定装置１の周辺の温度を測定する温度センサ２４と、被測定物の液面の高さを測定する静電センサ２５と、被測定物の液面の高さを測定する光学センサ２６と、ネットワーク３を介して外部端末４、５と通信する通信手段としての通信部２７と、容器２が保持部１２に固定されたことを検出するスイッチ２８と、点灯又は点滅により警告する警告手段としてのＬＥＤ２９と、音声により警告する警告手段としてのスピーカ３０とを備えている。マイコン２１はバス３１を介してメモリ２２、加速度センサ２３、温度センサ２４、静電センサ２５、光学センサ２６、通信部２７、スイッチ２８、ＬＥＤ２９及びスピーカ３０に接続されている。感圧センサ１３はバス３１に接続されている。マイコン２１は第１補正手段及び第２補正手段として機能する。
【００２１】
通信部２７は、無線通信又は有線通信用の通信モジュールである。マイコン２１は、感圧センサ１３の出力電圧と、温度センサ２４で測定された温度と、温度と出力電圧と重量との関係を規定したデータに基づいて容器２の重量を算出する。そして、マイコン２１は、被測定物の摂取前の容器２全体の重量と被測定物摂取後の容器２全体の重量との差分から被測定物の摂取量を算出する。温度と出力電圧と重量との関係を規定したデータはメモリ２２に予め格納されている。また、マイコン２１は、加速度センサ２３で測定された摂取量測定装置１の傾きに基づいて、算出された容器２の重量を補正する。
【００２２】
摂取量測定装置１は感圧センサ１３、静電センサ２５及び光学センサ２６のいずれか１つを備えていればよい。静電センサ２５又は光学センサ２６を備えている場合には、マイコン２１は、静電センサ２５又は光学センサ２６の出力電圧と、温度センサ２４で測定された温度と、温度と出力電圧と液面の高さとの関係を規定したデータに基づいて、容器２内の被測定物の液面の高さ、即ち被測定物の容量（体積）を算出する。そして、マイコン２１は、摂取前の被測定物の容量と摂取後の被測定物の容量との差分から被測定物の摂取量を算出する。温度と出力電圧と液面の高さとの関係を規定したデータはメモリ２２に予め格納されている。また、マイコン２１は、加速度センサ２３で測定された摂取量測定装置１の傾きに基づいて、算出された被測定物の容量を補正する。
【００２３】
静電センサ２５を使用する場合、図４（Ａ）に示すように容器２の側面には、容器２の静電容量を測定するためのＦＰＣ（Flexible Printed Circuit ）３２が貼り付けられる。ＦＰＣ３２は液面測定用の複数の電極を含み、静電センサ２５に接続される。静電センサ２５では、静電容量の変化を電圧に変換して出力する。マイコン２１は、静電センサ２５の出力電圧と、電圧と液面の高さとの関係を規定したデータとから被測定物の容量を測定する。電圧と液面の高さとの関係を規定したデータはメモリ２２に予め格納されている。
【００２４】
光学センサ２６を使用する場合、図４（Ｂ）に示すように容器２の側面には、複数の発光素子３５ａが垂直に配置されたテープ３５と、複数の受光素子３６ａが垂直に配置されたテープ３６と貼り付けられる。光学センサ２６は複数の発光素子３５ａ及び複数の受光素子３６ａと電気的に接続され、マイコン２１は受光素子３６ａからの出力に基づいて液面の高さを測定する。
【００２５】
図３（Ｂ）に示すように、外部端末４は、外部端末４の動作を制御するＣＰＵ４１、ワーキングエリアとして機能するＲＡＭ４２と、各種のデータやプログラムを格納するＲＯＭ４３及びハードディスクドライブ（ＨＤＤ）４４と、キーボードやマウスのような入力装置４９が接続される入力インターフェース（ＩＦ）４５と、ディスプレイ５０が接続されるビデオＩＦ４６と、ネットワーク３を介して摂取量測定装置１及び外部端末５と通信する通信部４７とを備えている。ＣＰＵ４１は、バス４８を介してＲＡＭ４２、ＲＯＭ４３、ＨＤＤ４４、入力ＩＦ４５、ビデオＩＦ４６及び通信部４７に接続されている。ＣＰＵ４１及び通信部４７は警告通知手段として機能する。
【００２６】
尚、外部端末４は、入力装置４９及びディスプレイ５０を内蔵していてもよい。通信部４７は、無線通信又は有線通信用の通信モジュールである。ＨＤＤ４４は、後述するように、摂取量の測定結果を測定結果の受信日時や摂取量測定装置１のアドレスと共に登録するデータベース４４ａを備えている。また、ＣＰＵ４１は、データベース４４ａに登録された測定結果の受信予定期間（つまり、用法で定められた服用間隔）内に被測定物の摂取量の測定結果を受信しない場合に被測定物の飲み忘れを警告する警告信号をネットワーク３を介して摂取量測定装置１及び外部端末５に送信する。
【００２７】
図５は、摂取量測定装置１の断面の模式図である。図５では、感圧センサ１３、押し子１４、制御基板１５及びバッテリ１６などの図示を省略している。
【００２８】
図５に示すように、摂取量測定装置１は、水平方向にスライド可能な、容器２を固定する固定部５２を備えていてもよい。この場合、保持部１２は、固定部５２を収容する凹部５１を備え、凹部５１と固定部５２との間には、摂取量測定装置１又は容器２の中心に向かって付勢する付勢手段としてのばね５３が連結されている。これにより、摂取量測定装置１を保持部１２の内径よりも細い容器２に固定することができる。
【００２９】
図６（Ａ）は、摂取量測定装置１の第１変形例の断面模式図である。図６（Ｂ）〜（Ｄ）は、容器２の装着から取り外しまでの回転保持部材５５の状態を示す図である。図６（Ａ）〜（Ｄ）では、感圧センサ１３、押し子１４及びバッテリ１６などの図示を省略している。
【００３０】
図６（Ａ）に示すように、摂取量測定装置１は、筐体１１の内部に回転可能に装着された回転保持部材５５を備えている。回転保持部材５５は、筐体１１の内部に装着された回転軸５６を中心に回転可能であり、容器２が保持部１２に挿入されたときに回転保持部材５５の回転により保持部１２の内壁１２ａから容器２に向けて突出し、容器２を固定する第１腕部５７と、容器２が保持部１２に挿入されたときに回転保持部材５５の回転によりスイッチ２８を押下する第２腕部５８と、容器２を保持部１２から取り外すときに押し込まれる押込部５９とを備えている。
【００３１】
図６（Ｂ）に示すように容器２が保持部１２に挿入されると、容器２により第２腕部５８が下方に押し込まれ、回転保持部材５５が反時計回りに回転する。この回転保持部材５５の回転により、図６（Ｃ）に示すように、押込部５９は筐体１１の外側に突出し、第２腕部５８はスイッチ２８を押下し、第１腕部５７は保持部１２の内壁１２ａから容器２の側面に向けて突出して、容器２を固定する。第２腕部５８がスイッチ２８を押下すると、容器２の重量又は液面の高さを測定するための測定開始信号をスイッチ２８がマイコン２１に出力し、マイコン２１による被測定物の摂取量の算出が開始される。
【００３２】
図６（Ｄ）に示すように、保持部１２から突出している押込部５９を押し込むと、回転保持部材５５が時計回りに回転し、第１腕部５７による容器２の固定を解除し、第２腕部５８がスイッチ２８から離れて容器２の底面を押し上げる。これにより、容器２を保持部１２から取り外すことができる。また、第２腕部５８がスイッチ２８から離れると、スイッチ２８は容器２の重量又は液面の高さの測定を終了するための測定終了信号をマイコン２１に出力し、マイコン２１による被測定物の摂取量の算出が終了する。
【００３３】
図７（Ａ）は、摂取量測定装置１の第２変形例の断面模式図である。図７（Ｂ）〜（Ｄ）は、容器２の装着から取り外しまでの摺動保持部材６０の状態を示す図である。図７（Ａ）〜（Ｄ）では、感圧センサ１３、押し子１４及びバッテリ１６などの図示を省略している。
【００３４】
図７（Ａ）に示すように、摂取量測定装置１は、筐体１１の内部に図示上下方向に摺動可能に装着された摺動保持部材６０を備えている。摺動保持部材６０は、容器２を保持部１２に固定する場合に上方向に移動させ、容器２を保持部１２から取り外すときに下方向に移動させる操作部６３と、操作部６３を上方向に移動させた場合に、斜め上方向に移動して保持部１２の内壁１２ａから容器２に向けて突出し、容器２を固定する第３腕部６１と、操作部６３を下方向に移動させた場合に、スイッチ２８を押下し、操作部６３を上方向に移動させた場合に、スイッチ２８から離れる第４腕部６２とを備えている。
【００３５】
まず、図７（Ｂ）に示すように容器２が保持部１２に挿入される。このとき、第４腕部６２はスイッチ２８を押下している。図７（Ｃ）に示すようにユーザが操作部６３を上方向に移動させると、第３腕部６１は斜め上方向（Ａ方向）に移動して保持部１２の内壁１２ａから容器２に向けて突出し、容器２を固定する。同時に、第４腕部６２はスイッチ２８から離れ、スイッチ２８は容器２の重量又は液面の高さを測定するための測定開始信号をマイコン２１に出力し、マイコン２１による被測定物の摂取量の算出が開始される。
【００３６】
図７（Ｄ）に示すように操作部６３を下方向に移動させると、第３腕部６１は保持部１２に収容されるように斜め下方向（Ｂ方向）に移動して、容器２の固定を解除する。これにより、容器２を保持部１２から取り外すことができる。そして、操作部６３が最下点まで移動すると、第４腕部６２がスイッチ２８を押下し、スイッチ２８は容器２の重量又は液面の高さの測定を終了するための測定終了信号をマイコン２１に出力し、マイコン２１による被測定物の摂取量の算出が終了する。
【００３７】
尚、摂取量測定装置１が回転保持部材５５又は摺動保持部材６０を有する場合には、保持部１２の上端に図２（Ａ）の突起部１９が形成されていてもよいし又は形成されてなくてもよい。
【００３８】
図８及び図９は、摂取量測定装置１及び外部端末４，５で実行される処理の一例を示すフローチャートである。
【００３９】
まず、マイコン２１は、スイッチ２８からの信号に基づいて、容器２が保持部１２に固定されているか否かを判別する（Ｓ１）。尚、摂取量測定装置１がスイッチ２８、あるいはスイッチを押下する回転保持部材５５又は摺動保持部材６０を備えていない場合には、Ｓ１の処理はスキップされ、Ｓ２の処理から開始される。
【００４０】
容器２が保持部１２に固定されていない場合には（Ｓ１でＮＯ）、後述するＳ１０の処理に進む。容器２が保持部１２に固定されている場合には（Ｓ１でＹＥＳ）、マイコン２１は、感圧センサ１３の出力電圧を測定する（Ｓ２）。
【００４１】
マイコン２１は、感圧センサ１３からの出力電圧に基づいて、摂取量測定装置１が取り付けられた容器２が持ち上げられているか否かを判別する（Ｓ３）。容器２が持ち上げられている場合には押し子１４が感圧センサ１３を押し込まないので、感圧センサ１３からの出力電圧は０Ｖになる。容器２が持ち上げられている場合には（Ｓ３でＹＥＳ）、ユーザが被測定物の摂取中であると考えられるので、容器２の重量を測定せずにＳ１の処理に戻る。
【００４２】
容器２が持ち上げられていない場合には（Ｓ３でＮＯ）、感圧センサ１３からの出力電圧が前回の測定値よりも増加しているか否かを判定する（Ｓ４）。摂取量測定装置１が取り付けられた容器２がテーブルなどに置かれた場合には容器２には加速度が加わるため、感圧センサ１３の出力電圧と前回測定値とを比較することにより、容器２を置く際に生じた衝撃により感圧センサ１３からの出力電圧が一時的に増加したのか否かを判断している。
【００４３】
感圧センサ１３からの出力電圧が前回の測定値よりも増加している場合には（Ｓ４でＹＥＳ）、衝撃により感圧センサ１３からの出力電圧が一時的に増加していると判断し、容器２がテーブルなどに置かれたものとしてＳ１の処理に戻る。一方、感圧センサ１３からの出力電圧が前回の測定値以下である場合には（Ｓ４でＮＯ）、マイコン２１は、温度センサ２４からの出力電圧を判別して、温度を測定する（Ｓ５）。感圧センサ１３は例えば図１０（Ａ）に示すように、温度によって異なる荷重−出力電圧の特性を有するので、正確に重量を測定するために温度が測定される。
【００４４】
マイコン２１は、メモリ２２に予め格納された出力電圧と温度と重量との関係を規定したテーブルデータと、感圧センサ１３からの出力電圧と、温度センサ２４で測定された温度とに基づいて、容器２の暫定重量を測定する（Ｓ６）。Ｓ６の処理では感圧センサ１３の出力電圧だけに基づいて容器２の暫定重量を測定するのではなく、温度に基づいて暫定重量が補正されている。出力電圧と温度と荷重との関係を規定したテーブルデータの一例を図１０（Ｂ）に示す。例えば、感圧センサ１３の出力電圧が０．１Ｖで測定された温度が＋２０℃の場合、重量は「０．２」である。重量の０．１は例えば１０グラムを示すので、「０．２」は２０グラムに相当する。次に、マイコン２１は、加速度センサ２３の出力を用いて摂取量測定装置１、つまり容器２の傾きを測定する（Ｓ７）。
【００４５】
マイコン２１は、メモリ２２に予め格納された図１１の傾き補正用の係数データと、Ｓ７で測定された摂取量測定装置１の傾きとに基づいて、傾き補正用の係数を決定する（Ｓ８）。図１１の係数データでは、水平面に対する容器２のＸ軸方向の傾きおよびＹ軸方向の傾きに対する、重量の補正量が設定されている。なお、図１１のＸ軸は水平面に対する図２（Ｂ）のＸ軸方向の容器２の傾きに、図１１のＹ軸は水平面に対する図２（Ｂ）のＹ軸方向の容器２の傾きに対応するものとする。マイコン２１は、Ｓ８で決定された傾き補正用の係数をＳ６で測定された容器２の暫定重量に乗算することによって、容器２の重量を算出する（Ｓ９）。尚、算出された容器２の重量のデータはメモリ２２に保存される。Ｓ８及びＳ９の処理により、容器２に装着された摂取量測定装置１が傾いた場所に置かれた場合でも、正確に容器２の重量を算出することができる。
【００４６】
尚、容器２の傾きに応じて重量補正を行う理由は、押し子１４が容器２の中心から外れており、容器２の傾きに応じて、押し子１４を介して感圧センサ１３が受ける圧力が変動するためである。図１１では、水平面に対する容器２のＹ軸方向の傾きの絶対値が同一の場合（例えば、５°と−５°、１０°と−１０°など）、負の傾きの数値は正の傾きの数値と同一である。一方、水平面に対する容器２のＸ軸方向の傾きの絶対値が同一の場合、負の傾きの数値が正の傾きの数値よりも大きくなっている。
【００４７】
次いで、マイコン２１は、Ｓ９で算出された容器２の重量が前回算出された容器２の重量と異なるか否かを判別する（Ｓ１０）。尚、前回算出された容器２の重量のデータはメモリ２２に保存されている。Ｓ９で算出された容器２の重量が前回算出された容器２の重量と同一である場合には（Ｓ１０でＮＯ）、被測定物が摂取されていないと判断し、Ｓ１の処理に戻る。
【００４８】
Ｓ９で算出された容器２の重量が前回算出された容器２の重量と異なる場合には（Ｓ１０でＹＥＳ）、マイコン２１は、Ｓ９で算出された重量と前回算出された重量との差分を被測定物の摂取量として算出する（Ｓ１１）。通信部２７は、被測定物の摂取量を示すデータを摂取量測定装置１のアドレスや日時データと共に外部端末４に送信する（Ｓ１２）。通信部２７は、さらに、外部端末４にユーザ名や摂取量測定装置１の識別子などを送信してもよい。
【００４９】
外部端末４は、摂取量測定装置１から被測定物の摂取量を示すデータ、摂取量測定装置１のアドレスや日時データを受信し（Ｓ２１）、ＣＰＵ４１が被測定物の摂取量、摂取量測定装置１のアドレスや摂取量測定の日時をデータベース４４ａに登録する（Ｓ２２）。
【００５０】
ＣＰＵ４１は、摂取量測定装置１から受信したデータが前回のデータ登録時から所定時間内に、つまり用法で定められた服用間隔内にデータベース４４ａに登録されたか否かを判定する（Ｓ２３）。ここでは、ＣＰＵ４１は、被測定物の飲み忘れが無いかを判断している。摂取量測定装置１から受信したデータが前回のデータ登録時から所定時間内にデータベース４４ａに登録された場合には（Ｓ２３でＹＥＳ）、処理を終了する。一方、摂取量測定装置１から受信したデータが前回のデータ登録時から所定時間内にデータベース４４ａに登録されなかった場合には（Ｓ２３でＮＯ）、ＣＰＵ４１は、被測定物の飲み忘れを通知するため、通信部４７を介して摂取量測定装置１及び外部端末５に警告通知を送信する（Ｓ２４）。ここでは、外部端末５は、例えば、ユーザ、ユーザの家族又は看護師などの病院関係者の携帯端末などである。
【００５１】
なお、上記では被測定物の重量を測定しているため、本来摂取すべき被測定物の量に対する摂取量の過不足を利用者に警告することも可能である。また、摂取量の管理だけではなく、被測定物の残量も管理可能であり、残量が少なくなった場合などに警告を発することも可能である。被測定物の残量については、マイコン２１がＳ９で算出された容器２の重量から容器２の空の重量を減算することで被測定物の残量を算出する。容器２の空の重量は予めメモリ２２に保存しておく。通信部２７は、被測定物の残量を示すデータを摂取量測定装置１のアドレスや日時データと共に外部端末４に送信する。
【００５２】
摂取量測定装置１のマイコン２１は、外部端末４から警告通知を受信したか否かを判別し（Ｓ１３）、警告通知を受信した場合には（Ｓ１３でＹＥＳ）、ＬＥＤ２９又はスピーカ３０の点灯、点滅又は音声出力により飲み忘れが生じていたことを通知するための警告を出力し（Ｓ１４）、処理を終了する。警告通知を受信していない場合には（Ｓ１３でＮＯ）、Ｓ１の処理に戻る。Ｓ１４の処理により、ユーザに警告を通知でき、被測定物の飲み忘れを防止できる。
【００５３】
外部端末５は、外部端末４から警告通知を受信したか否かを判別し（Ｓ３１）、警告通知を受信した場合には（Ｓ３１でＹＥＳ）、ディスプレイ５０又は不図示のスピーカから警告を出力する（Ｓ３２）。警告通知を受信していない場合には（Ｓ３１でＮＯ）処理を終了する。Ｓ３２の処理により、ユーザに被測定物の飲み忘れの警告を通知できる。
【００５４】
図８及び図９では、感圧センサ１３を使って被測定物の摂取量を算出したが、静電センサ２５又は光学センサ２６を使って被測定物の摂取量を算出してもよい。
【００５５】
図１２は、静電センサ２５又は光学センサ２６を使う摂取量測定装置１で実行される処理を示すフローチャートである。図８のフローチャートと同一の処理には同一のステップ番号を付し、その説明を省略する。
【００５６】
容器２が保持部１２に固定されていない場合には（Ｓ１でＮＯ）、後述するＳ４４の処理に進む。容器２が保持部１２に固定されている場合には（Ｓ１でＹＥＳ）、マイコン２１は、静電センサ２５又は光学センサ２６からの出力電圧を測定する（Ｓ４１）。Ｓ４１の処理後、Ｓ５の処理に進む。
【００５７】
マイコン２１は、メモリ２２に予め格納された出力電圧と温度と液面の高さとの関係を規定したテーブルデータと、静電センサ２５又は光学センサ２６からの出力電圧と、温度センサ２４で測定された温度とに基づいて、被測定物の暫定容量を測定し（Ｓ４２）、Ｓ７の処理に進む。Ｓ４２の処理では静電センサ／光学センサの出力電圧だけに基づいて暫定容量を測定するのではなく、温度に基づいて被測定物の暫定容量が補正されている。マイコン２１は、Ｓ８で決定された傾き補正用の係数をＳ４２で測定された暫定容量に乗算することによって、被測定物の容量を算出する（Ｓ４３）。算出された被測定物の容量のデータはメモリ２２に保存される。
【００５８】
次いで、マイコン２１は、Ｓ４３で算出された被測定物の容量が前回算出された被測定物の容量と異なるか否かを判別する（Ｓ４４）。尚、前回算出された被測定物の容量はメモリ２２に保存されている。Ｓ４３で算出された被測定物の容量が前回算出された被測定物の容量と同じ場合には（Ｓ４４でＮＯ）、Ｓ１の処理に戻る。
【００５９】
Ｓ４３で算出された被測定物の容量が前回算出された被測定物の容量と異なる場合には（Ｓ４４でＹＥＳ）、マイコン２１は、Ｓ４３で算出された被測定物の容量と前回算出された被測定物の容量との差分を被測定物の摂取量として算出する（Ｓ４５）。その後、手順は図９のＳ１２に進む。
【００６０】
以上説明したように、本実施の形態によれば、摂取量測定装置１は、容器２を取り外し可能に保持する保持部１２と、容器２の重量又は被測定物の容量（体積）を測定する各種センサと、前回の測定結果とセンサにより測定された容器の重量又は被測定物の容量とに基づいて被測定物の摂取量を算出するマイコン２１と、被測定物の摂取量を外部端末に送信する通信部２７とを備える。容器２内の被測定物をすべて飲み終わった後に、空の容器２を保持部１２から取り外して捨てることができるので、容器２の洗浄のような煩わしい作業を不要にできる。また、測定した被測定物の摂取量を示すデータを外部端末に送信するので、外部端末を用いて被測定物の摂取量を管理することができる。つまり、ユーザは、被測定物の摂取量を自ら管理する必要がないので、被測定物の摂取量の管理を容易化できる。
【００６１】
尚、本発明は、上述した実施の形態に限定されるものではなく、その要旨を逸脱しない範囲内で種々変形して実施することが可能である。
【符号の説明】
【００６２】
１  摂取量測定装置
４，５  外部端末
１３  感圧センサ
２１  マイコン
２２  メモリ
２３  加速度センサ
２４  温度センサ
２５  静電センサ
２６  光学センサ
２７  通信部
２８  スイッチ
【図１】
2019080631.tif 000003
【図２】
2019080631.tif 000004
【図３】
2019080631.tif 000005
【図４】
2019080631.tif 000006
【図５】
2019080631.tif 000007
【図６】
2019080631.tif 000008
【図７】
2019080631.tif 000009
【図８】
2019080631.tif 000010
【図９】
2019080631.tif 000011
【図１０】
2019080631.tif 000012
【図１１】
2019080631.tif 000013
【図１２】
2019080631.tif 000014